(57)【要約】【課題】  手摺り支柱を階段側枠に確実に取り付けることができかつ左右反対勝手に適用できるようにする。【解決手段】  階段側枠２Ａの外側面に沿わされる手摺り支柱３Ａの下端に連結された下クランプ部材５と、この下クランプ部材５より上側で手摺り支柱３Ａに連結された上クランプ部材６と、この上クランプ部材６に枢支されかつ下クランプ部材５と係合する連結ロッド７と、この連結ロッド７に設けられて上下クランプ部材５、６で手摺り支柱３Ａを挟む締結具８とを備えている。前記下クランプ部材５は手摺り支柱３Ａの下端に枢支軸９を介して下回り反転自在に枢支され、前記上クランプ部材６は手摺り支柱３Ａに周囲廻り反転自在に嵌合された嵌合部６Ａを有している。【選択図】図１
2018044408.tif 000002
【特許請求の範囲】
【請求項１】
階段側枠（２Ａ）の外側面に沿わされる手摺り支柱（３Ａ）の下端に連結された下クランプ部材（５）と、この下クランプ部材（５）より上側で手摺り支柱（３Ａ）に連結された上クランプ部材（６）と、この上クランプ部材（６）に枢支されかつ下クランプ部材（５）と係合する連結ロッド（７）と、この連結ロッド（７）に設けられて上下クランプ部材（５、６）で手摺り支柱（３Ａ）を挟む締結具（８）とを備えており、
前記下クランプ部材（５）は手摺り支柱（３Ａ）の下端に枢支軸（９）を介して下回り反転自在に枢支され、前記上クランプ部材（６）は手摺り支柱（３Ａ）に周囲廻り反転自在に嵌合された嵌合部（６Ａ）を有していることを特徴とする階段用手摺り取付装置。
【請求項２】
前記上クランプ部材（６）の嵌合部（６Ａ）は手摺り支柱（３Ａ）に対して回動可能にかつ上下移動可能に嵌合されており、この嵌合部（６Ａ）の下縁に凹部（１１）を形成し、手摺り支柱（３Ａ）に前記凹部（１１）と係合して上クランプ部材（６）の方向を設定する位置設定突起（１２）を設けていることを特徴とする請求項１に記載の階段用手摺り取付装置。
【請求項３】
前記上クランプ部材（６）は嵌合部（６Ａ）と手摺り支柱（３Ａ）との間にカラー（１３）を有し、手摺り支柱（３Ａ）に嵌合部（６Ａ）の上方移動を制限する規制突起（１４）を設けていることを特徴とする請求項２に記載の階段用手摺り取付装置。
【請求項４】
前記連結ロッド（７）に、上下クランプ部材（５）を階段側枠（２Ａ）から離脱したときに、下クランプ部材（５）の上方移動を規制する止め部材（１５）を設けていることを特徴とする請求項１〜３のいずれか１項に記載の階段用手摺り取付装置。
【発明の詳細な説明】
【技術分野】
【０００１】
本発明は、仮設階段に手摺りを取り付けるための階段用手摺り取付装置に関する。
【背景技術】
【０００２】
建設作業現場等の仮設階段は、左右側枠間に複数段の踏み桟を架設して、左右各側枠の外面に取付装置を介して手摺りを取り付けており、左手摺りは左側枠の左側面に、右手摺りは右側枠の右側面にそれぞれ沿わされて取り付けられる。
このような仮設階段に手摺りを取り付ける従来技術として、特許文献１においては、階段用仮設手摺りの支柱下端部に、階段側の垂直側板の上端に嵌合するクランプを取付けた階段用仮設手摺りの取付け装置において、前記クランプの本体を、前記支柱下端部に対して着脱自在に取付けられた基部と、当該基部から横方向に連設された横向き延出部と、この横向き延出部から下向きに連設された脚部とから構成すると共に、当該本体の前記脚部に、前記本体基部との間ではなく前記支柱下端部との間で前記階段側の垂直側板を挟み付ける押しボルトを横向きに装着している取付け装置（請求項１）がある。
【０００３】
また、特許文献２においては、仮設階段の側枠に仮設手摺りの支柱を取り付けるための取付装置であって、手摺り支柱の下端部に階段側枠の上面側を把持する上部クランプ部材を固定すると共に、その下方に階段側枠の下面側を把持する下部クランプ部材を上部クランプ部材に対し開閉可能に枢着し、上下両クランプ部材を互いに固定する固定手段を設けている取付け装置が開示されている。
【先行技術文献】
【特許文献】
【０００４】
【特許文献１】特許２７０４５８３号公報
【特許文献２】特許３８６９５１５号公報
【発明の概要】
【発明が解決しようとする課題】
【０００５】
前記特許文献１の技術は、クランプ本体の基部が支柱下端部に対して左向き姿勢と右向き姿勢とに変更自在でかつ着脱自在に取付けられているので、１種類の取付け装置を左右どちらの手摺りの取り付けにも適用できるが、脚部に設けた押しボルトを階段側の側板に押し付けて、クランプ本体を側板に固定する構造であるため、上下方向の取り付け強度を十分に高めることが困難になっている。
【０００６】
前記特許文献２の技術は、手摺りの支柱に取り付けた上下クランプ部材で階段側枠を上下から挟みかつ左右から位置規制するので、上下クランプ部材の取り付け強度は十分に得られるが、手摺り支柱に対する上下クランプ部材の装着は１方向専用になっており、手摺りが上下対称形状であれば上下反転して取り付け可能であるが。手摺りが上下非対称形状であれば上下反転できないので、取付け装置を左手摺り用と右手摺り用の２種類製作しなくてはならない。
【０００７】
本発明は、このような従来技術の問題点を解決できるようにした階段用手摺り取付装置を提供することを目的とする。
本発明は、手摺り支柱を階段側枠に確実に取り付けることができかつ左右反対勝手に適用できる階段用手摺り取付装置を提供することを目的とする。
【課題を解決するための手段】
【０００８】
本発明における課題解決のための具体的手段は、次の通りである。
第１に、階段側枠２Ａの外側面に沿わされる手摺り支柱３Ａの下端に連結された下クランプ部材５と、この下クランプ部材５より上側で手摺り支柱３Ａに連結された上クランプ部材６と、この上クランプ部材６に枢支されかつ下クランプ部材５と係合する連結ロッド７と、この連結ロッド７に設けられて上下クランプ部材５、６で手摺り支柱３Ａを挟む締結具８とを備えており、
前記下クランプ部材５は手摺り支柱３Ａの下端に枢支軸９を介して下回り反転自在に枢支され、前記上クランプ部材６は手摺り支柱３Ａに周囲廻り反転自在に嵌合された嵌合部
６Ａを有していることを特徴とする。
【０００９】
第２に、前記上クランプ部材６の嵌合部６Ａは手摺り支柱３Ａに対して回動可能にかつ上下移動可能に嵌合されており、この嵌合部６Ａの下縁に凹部１１を形成し、手摺り支柱３Ａに前記凹部１１と係合して上クランプ部材６の方向を設定する位置設定突起１２を設けていることを特徴とする。
第３に、前記上クランプ部材６は嵌合部６Ａと手摺り支柱３Ａとの間にカラー１３を有し、手摺り支柱３Ａに嵌合部６Ａの上方移動を制限する規制突起１４を設けていることを特徴とする。
【００１０】
第４に、前記連結ロッド７に、上下クランプ部材５、６を階段側枠２Ａから離脱したときに、下クランプ部材５の上方移動を規制する止め部材１５を設けていることを特徴とする。
【発明の効果】
【００１１】
本発明によれば、手摺り支柱３Ａを左右の階段側枠２Ａの外側面に確実に取り付けることができかつ左右反対勝手に適用できる。
即ち、請求項１に係る発明は、連結ロッド７及び締結具８を介して上下クランプ部材５、６で手摺り支柱３Ａを確実かつ強固に挟むことができ、しかも、下クランプ部材５は手摺り支柱３Ａの下端に枢支軸９を介して下回り反転自在に枢支され、上クランプ部材６は手摺り支柱３Ａに周囲廻り反転自在に嵌合された嵌合部６Ａを有しているので、左勝手状態にも右勝手状態にもでき、手摺りが上下非対称形状であっても、１種類で左側手摺りの取り付けにも右側手摺りの取り付けにも適用できる。
【００１２】
請求項２に係る発明は、嵌合部６Ａの下縁に凹部１１を形成し、手摺り支柱３Ａに位置設定突起１２を設けているので、上クランプ部材６の嵌合部６Ａは手摺り支柱３Ａに対して上方移動し、回動し、かつ下降すれば、凹部１１と位置設定突起１２とが係合して、回動した上クランプ部材６の方向を階段側枠２Ａの外側面に対応するように設定することができる。
【００１３】
請求項３に係る発明は、上クランプ部材６は嵌合部６Ａと手摺り支柱３Ａとの間にカラー１３を有しているので、上クランプ部材６の回動及び上下移動が容易になり、かつ手摺り支柱３Ａに嵌合部６Ａの上方移動を制限する規制突起１４を設けているので、上クランプ部材６の上方移動過多を防止できる。
請求項４に係る発明は、連結ロッド７に止め部材１５を設けているので、上下クランプ部材５を階段側枠２Ａから離脱したときに、下クランプ部材５の上方移動を規制することができ、連結ロッド７及び締結具８を介して上下クランプ部材５、６を連結して、自由な動きのない拘束状態にしておける。
【図面の簡単な説明】
【００１４】
【図１】本発明の実施形態を示す正面図である。
【図２】同斜視図である。
【図３】取り付け前の状態を示す説明図である。
【図４】側面図である。
【図５】図１のＸ−Ｘ線断面図である。
【図６】図１のＹ−Ｙ線断面図である。
【図７】仮設階段に手摺りを取り付けた側面図である。
【発明を実施するための形態】
【００１５】
以下、本発明の実施の形態を図面に基づいて説明する。
図７において、建設作業現場で組立てられる仮設足場はパイプ材２１、２２を縦横に組付け、各階に足場板を設置し、下の階と上の階を繋ぐ仮設階段２が上下の横パイプ材２２間に仮設され、この仮設階段２に手摺り取付装置１を介して手摺り３を取り付けている。
仮設階段２は、左右階段側枠２Ａ間に上下複数段の踏み桟２Ｂを架設しており、左右各階段側枠２Ａの外側面に手摺り３の支柱３Ａを直角に宛がい、手摺り支柱３Ａの下部に装着した手摺り取付装置１が階段側枠２Ａを挟持することにより、階段側枠２Ａに対して手摺り支柱３Ａが固定される。
【００１６】
手摺り３は前後２本の支柱３Ａを手摺り棒３Ｂで連結しており、前支柱３Ａから前上方へ延長部３Ｃが形成されている。この延長部３Ｃは上の階の横パイプ材２２より上方へ突出しており、作業者が上の階に到達するまで手摺り３を利用できるようにしている。なお、手摺り３は延長部を下部にも形成することが考えられるが、手摺り３を利用するにあたっては、下部の延長部は手持ち利用されない無用のものとなる。
【００１７】
前記手摺り３は、延長部３Ｃが上部にのみ設けられていて下部に存在しないので、上下非対称形状であり、上下反対勝手に使用することはできなく、仮設階段２の左右どちらの階段側枠２Ａに取り付け場合にもその姿勢は同じであるが、支柱３Ａを左階段側枠２Ａの左側面に取り付ける手摺り取付装置１と、支柱３Ａを右階段側枠２Ａの右側面に取り付ける手摺り取付装置１とでは、組み付け勝手が左右反対になっている。
【００１８】
図１において、符号１Ｌは左階段側枠２Ａの左側面に取り付けた手摺り取付装置を示し、符号１Ｒは右階段側枠２Ａの右側面に取り付けた手摺り取付装置を示しており、手摺り取付装置１Ｌ、１Ｒは組み付け勝手が反対であるだけで構造は同一である。
図１〜６において、前記手摺り取付装置１は、階段側枠２Ａの外側面に沿わされる手摺り支柱３Ａの下端に連結された下クランプ部材５と、この下クランプ部材５より上側で手摺り支柱３Ａに連結された上クランプ部材６と、この上クランプ部材６に枢支されかつ下クランプ部材５と係合する連結ロッド７と、この連結ロッド７に設けられて上下クランプ部材５、６で手摺り支柱３Ａを挟む締結具８とを備えている。
【００１９】
下クランプ部材５は、図６に示すように、２つの二股部を背中合わせに一体形成しており、一端側は切欠５ａにより平面視略コ字状の二股枢支部５Ａを形成しており、この二股枢支部５Ａは断面略四角形状の手摺り支柱３Ａの下端を挿入して、両者を貫通する枢支軸９により枢支連結されている。
前記下クランプ部材５の切欠５ａは、枢支軸９の中心から手摺り支柱３Ａの下端までの寸法より深く形成されており、図３に示すように、下クランプ部材５は枢支軸９を中心に手摺り支柱３Ａの下方を通って反対側まで、下回り反転自在になっている。
【００２０】
下クランプ部材５の他端側は長溝５ｂにより平面視略Ｕ字状の二股係合部５Ｂを形成しており、この二股係合部５Ｂは長溝５ｂに連結ロッド７を挿入可能であり、その下面は締結具８の蝶ナット８Ａが当接可能になっている。
上クランプ部材６は、図５に示すように、鍵穴のような円形孔と矩形孔とを連通した孔を有する形状であり、円形孔を形成する嵌合部６Ａと、この嵌合部６Ａから２本の腕を突出した支持部６Ｂとを有している。
【００２１】
前記嵌合部６Ａは、円筒状のカラー１３を介して手摺り支柱３Ａに嵌合しており、手摺り支柱３Ａに対して周囲廻り反転するために回動可能でありかつ上下移動自在になっている。
この嵌合部６Ａは、下縁の１８０度変位した２箇所に半円状の凹部１１が形成されている。手摺り支柱３Ａには左右側面に２個のボタンが設けられていて、前記凹部１１と係合する位置設定突起１２が形成されている。手摺り支柱３Ａに対して上クランプ部材６を上方移動させると、凹部１１は位置設定突起１２から上方へ退避し、上クランプ部材６の回動が許容される。
【００２２】
前記左右の凹部１１は位置設定突起１２と係合することにより、上クランプ部材６の方向を階段側枠２Ａの左右方向と合致させるように設定するものであり、上クランプ部材６が手摺り支柱３Ａの周囲廻りに１８０度反転したときも、階段側枠２Ａに対して左右方向が合致するように位置を設定する。
手摺り支柱３Ａには嵌合部６Ａより上方の左右側面に２個のボタンが設けられていて、嵌合部６Ａの上方移動を制限する規制突起１４が形成されている。この規制突起１４は位置設定突起１２を形成するものと同一のボタンで形成され、位置設定突起１２の真上にあって、それらの上下間隔は嵌合部６Ａの上下幅より広く、凹部１１を位置設定突起１２から上方へ退避できるまで、嵌合部６Ａを上方移動できる寸法となっている。
【００２３】
下クランプ部材５と上クランプ部材６とで挟持する階段側枠２Ａには、機種によって上下幅が異なり、手摺り支柱３Ａに対する前記位置設定突起１２及び規制突起１４の取り付
け位置は、位置設定突起１２は最小幅の階段側枠２Ａを挟持する位置まで上クランプ部材６を下方移動できる位置であり、規制突起１４は最大幅の階段側枠２Ａを挟持する位置まで上クランプ部材６を上方移動できる位置である。
【００２４】
前記上クランプ部材６の支持部６Ｂには、矩形空間に連結ロッド７の上部の平坦部７Ａが挿入され、連結ボルト２５によって回動可能に連結されている。支持部６Ｂは正面視略Ｌ字形状であり、連結ボルト２５を貫通している部分から下方へ突出した位置決め凸部６Ｃが形成されている。この位置決め凸部６Ｃは階段側枠２Ａの内面に当接可能である。
連結ボルト２５は上部に２側面が平行な平坦部７Ａが形成され、中途部から下部にかけて雄ネジ部７Ｂが形成されており、雄ネジ部７Ｂに蝶ナット８Ａが螺合され、これらによって締結具８が構成されている。
【００２５】
また、連結ボルト２５は、中途部にピンを貫通して止め部材１５が設けられ、下端にベータピン等のピンで蝶ナット８Ａの抜け止めが施されている。前記止め部材１５は、上下クランプ部材５を階段側枠２Ａから離脱しているときに、連結ボルト２５が挿入されている下クランプ部材５が止め部材１５に当たってそれ以上上方へ移動するのを規制するためにある。
【００２６】
次に、前記手摺り取付装置１による手摺り３の取り付け操作を説明する。
手摺り３の前後支柱３Ａの下部に手摺り取付装置１を装着する。下クランプ部材５は手摺り支柱３Ａの下端の枢支軸９から垂下状態にあり、上クランプ部材６は嵌合部６Ａの凹部１１が手摺り支柱３Ａの下部の位置設定突起１２に係合していることにより階段側枠２Ａの左右方向に沿って位置している（図３の状態）。
【００２７】
上クランプ部材６の向きが階段側枠２Ａに対向していない場合は、嵌合部６Ａを規制突起１４に当たるまで上方移動させ、凹部１１を位置設定突起１２から離脱させてから、上クランプ部材６を手摺り支柱３Ａの周囲廻りに１８０度反転させ、その後に嵌合部６Ａを下降すると、階段側枠２Ａに対向するように上クランプ部材６の向きが設定される。
上クランプ部材６の支持部６Ｂを階段側枠２Ａの上面に載せ、位置決め凸部６Ｃを階段側枠２Ａの内面に当接すると、手摺り支柱３Ａは階段側枠２Ａの外側面に沿うように当接し、その状態で下クランプ部材５を垂下状態から階段側枠２Ａの下方に回動させて、階段側枠２Ａの下面に宛がい、下クランプ部材５の二股係合部５Ｂの長溝５ｂに連結ロッド７を挿入する。
【００２８】
連結ロッド７を下クランプ部材５に係合した後に締結具８の蝶ナット８Ａを螺合していくと、下クランプ部材５は階段側枠２Ａの下面に押し付けられ、上クランプ部材６とともに階段側枠２Ａを挟持し、手摺り支柱３Ａを階段側枠２Ａに固定する。
左階段側枠２Ａの左側面用の手摺り取付装置１Ｌを右階段側枠２Ａの右側面に取り付けるには、締結具８を緩めて連結ロッド７を下クランプ部材５から離脱させ、下クランプ部材５を手摺り支柱３Ａの下端を通過させて、枢支軸９を中心に下回り反転させ、上クランプ部材６は嵌合部６Ａを手摺り支柱３Ａに周囲廻り反転させ、手摺り取付装置１Ｒの組み付け勝手にする。
【００２９】
また、手摺り３を階段側枠２Ａから離して運搬、保管等をするときは、下クランプ部材５及び連結ロッド７がブラブラするのを防止するために、上下クランプ部材５、６間に階段側枠２Ａがない状態で、下クランプ部材５の二股係合部５Ｂに連結ロッド７を挿入し、締結具８の蝶ナット８Ａを螺合していき、下クランプ部材５を連結ロッド７の止め部材１５に当接し、下クランプ部材５の上方移動を規制する。これにより、上下クランプ部材５、６及び連結ロッド７の３部材は手摺り支柱３Ａに固定された状態になる。
【００３０】
なお、本発明は前記実施形態における各部材の形状及びそれぞれの前後・左右・上下の位置関係は、図１〜７に示すように構成することが最良である。しかし、前記実施形態に限定されるものではなく、部材、構成を種々変形したり、組み合わせを変更したりすることもできる。
例えば、位置設定突起１２及び規制突起１４は手摺り支柱３Ａの左右側面の一方のみでもよい。
【００３１】
手摺り支柱３Ａは断面円形のパイプ材で形成してもよく、手摺り支柱３Ａの下端は枢支
軸９を中心とする円弧面に形成してもよい。
手摺り支柱３Ａを上下２分割構造にして、下部支柱に上部支柱を嵌合又は挿入してボルト等の連結具で着脱自在に連結し、その下部支柱に下クランプ部材５及び上クランプ部材６を有する手摺り取付装置１を装着してもよい。
【符号の説明】
【００３２】
１        階段用手摺り取付装置
２        仮設階段
２Ａ      階段側枠
２Ｂ      踏み桟
３        手摺り
３Ａ      支柱
５        下クランプ部材
６        上クランプ部材
６Ａ      嵌合部
６Ｂ      支持部
７        連結ロッド
８        締結具
１１      凹部
１２      位置設定突起
１３      カラー
１４      規制突起
１５      止め部材
【図１】
2018044408.tif 000003
【図２】
2018044408.tif 000004
【図３】
2018044408.tif 000005
【図４】
2018044408.tif 000006
【図５】
2018044408.tif 000007
【図６】
2018044408.tif 000008
【図７】
2018044408.tif 000009